(57)【要約】【課題】有事における対応を、迅速に、かつ、正確に行える緊急警報システムの提供。【解決手段】上記課題は、押しボタンの操作で警報信号を出力し、かつ、押しボタンの解除で復旧信号を出力する警戒区域毎に設けられる押しボタン式送信機５と、この押しボタン式送信機５からの警報信号を受信すると警戒区域が表示され、かつ、その表示が、押しボタン式送信機５からの復旧信号を受信すると消去される受信機２と、この受信機に接続されたコントローラ３と、このコントローラ３からの指令によって動作する大形警報表示器１を有し、この大形警報表示器１を、緊急事態の発生した警戒区域名を表示するＬＥＤ表示大画面部８と、緊急事態発生報知用フラッシュランプ９と、緊急事態発生報知用サイレン１０とから構成し、コントローラ３を操作することで、ＬＥＤ表示大画面部８に、ガイダンス表示を行うことで、達成できる。【選択図】図１
2008021100.tif 000002
【特許請求の範囲】
【請求項１】
押しボタンの操作で警報信号を出力し、かつ、押しボタンの解除で復旧信号を出力するところの警戒区域毎に設けられる押しボタン式送信機と、この押しボタン式送信機からの警報信号を受信すると警戒区域を表示させ、かつ、その表示を、前記押しボタン式送信機からの復旧信号を受信すると消去させる警戒区域表示部を設けた受信機と、この受信機に接続されたコントローラと、このコントローラからの指令によって動作する大形警報表示器を有し、この大形警報表示器を、緊急事態の発生した警戒区域名を表示するＬＥＤ表示大画面部と、緊急事態の発生したことを視覚によって知らせるためのフラッシュランプと、緊急事態の発生したことを聴覚によって知らせるためのサイレンとを配設した構成にするとともに、前記コントローラを操作することで、大形警報表示器のＬＥＤ表示大画面部に、緊急事態発生時にとるべき行動内容を表示するガイダンス表示がなされる構成にしたことを特徴とする緊急警報システム。
【請求項２】
前記警報信号を前記受信機が受信すると、前記コントローラから、前記フラッシュランプを点滅させ、かつ、前記サイレンを鳴動させる指令と、前記ＬＥＤ表示大画面部に緊急事態の発生した警戒区域名を表示させる指令が前記大形警報表示器に送信されることを特徴とする請求項１記載の緊急警報システム。
【請求項３】
前記コントローラに、サイレン停止スイッチを設けて、このサイレン停止スイッチを操作して前記サイレンの鳴動を停止させると、前記大形警報表示器のＬＥＤ表示大画面部の表示が、緊急事態の発生した警戒区域名の表示から前記ガイダンス表示に切り換ることを特徴とする請求項１若しくは２記載の緊急警報システム。
【請求項４】
警戒区域毎に設けられた全ての押しボタン式送信機からの復旧信号を前記受信機が受信すると、前記フラッシュランプの点滅を停止させ、かつ、前記サイレンの鳴動を停止させる指令と、前記ＬＥＤ表示大画面部の表示をリセットさせる指令を、前記大形警報表示器に送信させるところの警報リセットスイッチを、前記コントローラに設けたことを特徴とする請求項１、２若しくは３記載の緊急警報システム。
【請求項５】
前記受信機に設けた警戒区域表示部を、複数個の点滅する表示灯と、その複数個の表示灯のそれぞれに対応させて前記押しボタン式送信機が設けられた警戒区域名を明記してなる銘板とから構成し、この表示灯の点滅は、前記受信機に設けたリセットボタンにより消灯させることを特徴とする請求項１、２、３若しくは４記載の緊急警報システム。
【請求項６】
前記受信機及び前記大形警報表示器の動作チェックを定期的に行い、故障が検出されると、前記コントローラから故障表示の指令が、前記大形警報表示器に送信されて、前記ＬＥＤ表示大画面部に故障表示がなされるとともに、前記フラッシュランプを点滅させるようにしたことを特徴とする請求項１、２、３、４若しくは５記載の緊急警報システム。
【発明の詳細な説明】
【技術分野】
【０００１】
本発明は、緊急警報システムに係り、特に、学校内に侵入した不審者への対応を円滑に行わせることを可能にする緊急警報システムに関するものである。
【背景技術】
【０００２】
従来、この種の緊急警報システムとしては、複数の警戒区域に、押しボタンを設けた発信機がそれぞれ配設され、その押しボタンが緊急通報操作で押されると、発信機が起動して発信機が設けられた警戒区域を特定するアドレス信号を含んだ警報信号を送信し、その警報信号を受信した受信機は、受信したアドレス信号に基づいて該当する発信機を特定するとともに、当該発信機の警戒区域を表示する表示灯を点灯させて緊急事態の発生を報知し、かつ、表示灯の点灯と表示灯の近傍に設けた銘板にて、緊急事態が発生した警戒区域を確認するようにしたものが知られている（例えば、特許文献１参照）。
【特許文献１】特開２００３−１３２４６０公報
【発明の開示】
【発明が解決しようとする課題】
【０００３】
しかしながら、上述した特開２００３−１３２４６０号公報に記載された緊急警報システムでは、受信機に設けられている表示灯及び銘板が小さいために、受信機の近くにいかないと、緊急事態が発生した警戒区域（緊急事態の発生場所）を確認することができないとともに、受信機の表示灯及び銘板を、一度に確認できるのは、一人が限度であり、緊急事態の発生に関する情報を、受信機を設置した場所の周囲にいる他の多くの人に、迅速に伝えることができないという問題点があった。
【０００４】
さらに、上述した特開２００３−１３２４６０号公報に記載された緊急警報システムでは、複数の警戒区域の押しボタンが操作されると、受信機の表示灯は、複数個所、点灯するため、どの警戒区域に、出動すべきか判断に迷ってしまうとともに、緊急事態の発生時に何を行ってよいのかを迷ってしまい、的確な対応が迅速に行われないとともに、受信機の故障が発生していた場合には、緊急事態の発生時に使用できなかったり、その故障が表示されていてもその表示が見えにくくなったりするために、緊急事態の発生の確認が遅れてしまうという問題点があった。
【０００５】
本発明の目的は、上述した問題点にかんがみ、緊急事態が発生した場合の、とるべき行動内容を知らしめることができ、的確な対応を迅速に行わせる緊急警報システムを提供することにある。さらに、本発明の目的は、緊急警報システムを構成する機器の故障の発生を、迅速に、かつ、容易に確認することができる緊急警報システムを提供することにある。
【課題を解決するための手段】
【０００６】
上記目的を達成するために、本発明は、押しボタンの操作で警報信号を出力し、かつ、押しボタンの解除で復旧信号を出力するところの警戒区域毎に設けられる押しボタン式送信機と、この押しボタン式送信機からの警報信号を受信すると警戒区域を表示させ、かつ、その表示を、前記押しボタン式送信機からの復旧信号を受信すると消去させる警戒区域表示部を設けた受信機と、この受信機に接続されたコントローラと、このコントローラからの指令によって動作する大形警報表示器を有し、この大形警報表示器を、緊急事態の発生した警戒区域名を表示するＬＥＤ表示大画面部と、緊急事態の発生したことを視覚によって知らせるためのフラッシュランプと、緊急事態の発生したことを聴覚によって知らせるためのサイレンとを配設した構成にするとともに、前記コントローラを操作することで、大形警報表示器のＬＥＤ表示大画面部に、緊急事態発生時にとるべき行動内容を表示するガイダンス表示がなされる構成にしたことを特徴としている。
【０００７】
さらに、本発明は、前記警報信号を前記受信機が受信すると、前記コントローラから、前記フラッシュランプを点滅させ、かつ、前記サイレンを鳴動させる指令と、前記ＬＥＤ表示大画面部に緊急事態の発生した警戒区域名を表示させる指令が前記大形警報表示器に送信されることを特徴としている。
【０００８】
さらに、本発明は、前記コントローラに、サイレン停止スイッチを設けて、このサイレン停止スイッチを操作して前記サイレンの鳴動を停止させると、前記大形警報表示器のＬＥＤ表示大画面部の表示が、緊急事態の発生した警戒区域名の表示から前記ガイダンス表示に切り換ることを特徴としている。
【０００９】
さらに、本発明は、警戒区域毎に設けられた全ての押しボタン式送信機からの復旧信号を前記受信機が受信すると、前記フラッシュランプの点滅を停止させ、かつ、前記サイレンの鳴動を停止させる指令と、前記ＬＥＤ表示大画面部の表示をリセットさせる指令を、前記大形警報表示器に送信させるところの警報リセットスイッチを、前記コントローラに設けたことを特徴としている。
【００１０】
さらに、本発明は、前記受信機に設けた警戒区域表示部を、複数個の点滅する表示灯と、その複数個の表示灯のそれぞれに対応させて前記押しボタン式送信機が設けられた警戒区域名を明記している銘板とから構成し、この表示灯の点滅は、前記受信機に設けたリセットボタンにより消灯させることを特徴としている。
【００１１】
さらに、本発明は、前記受信機及び前記大形警報表示器の動作チェックを定期的に行い、故障が検出されると、前記コントローラから故障表示の指令が、前記大形警報表示器に送信されて、前記ＬＥＤ表示大画面部に故障表示がなされるとともに、前記フラッシュランプを点滅させるようにしたことを特徴としている。
【発明の効果】
【００１２】
本発明によれば、大形警報表示器を、受信機の設置場所と異なり、誰でもが目に留まりやすい場所、例えば、天井近傍の高所へ設置することができるとともに、押しボタン式送信機の押しボタンが操作された警戒区域名の表示が、大形警報表示器のＬＥＤ表示大画面部に表示され、しかも、緊急事態発生時にとるべき行動内容を表示するガイダンス表示がなされるので、緊急事態発生時の対応を、迅速に、かつ、正確に、行わせることを可能にした緊急警報システムが得られる。
【００１３】
さらに、本発明によれば、受信機や大形警報表示器の故障が発生した場合には、その故障が、大形警報表示器のＬＥＤ表示大画面部にて表示されるので、その故障の発生を、迅速に、かつ、容易に確認することができるため、緊急事態の発生時に使用できなくなることを防止し得る緊急警報システムが得られる。
【発明を実施するための最良の形態】
【００１４】
以下、本発明に係る緊急警報システムの一実施形態を、図面に、基づいて説明する。図１は、本発明の一実施形態に係る緊急警報システムの全体構成図である。図２は、本発明の一実施形態に係る緊急警報システムの学校内への配置内容を示す配置説明図である。図３は、本発明の一実施形態に係る緊急警報システムの職員室への配置内容を示す配置説明図である。図４は、本発明の一実施形態に係る緊急警報システムにおける押しボタン式送信機及び受信機の動作内容を示す流れ図である。図５は、本発明の一実施形態に係る緊急警報システムにおけるコントローラ及び大形警報表示器の動作内容を示す流れ図である。図６は、本発明の一実施形態に係る緊急警報システムのコントローラから大形警報表示器への表示出力方法を説明する説明図である。
【００１５】
図１に示す本発明の一実施形態に係る緊急警報システムは、大形警報表示器１と、受信機２と、コントローラ３と、中継機４と、押しボタン式の送信機５（以下、押しボタン式送信機５と称する。）と、ペンダント式の送信機６（以下、ペンダント式送信機６と称する。）と、腕時計式の送信機７（以下、腕時計式送信機７と称する。）を、備えている。大形警報表示器１は、図１に示すように、その正面に、ＬＥＤ表示大画面部８と、フラッシュランプ９と、サイレン１０とを配設する構成にしてある。大形警報表示器１の内部には、ＬＥＤモジュール１１Ａ、内部チェック部１１Ｂ、制御部１１Ｃ、文字データ記憶部１１Ｄ及び信号入出力部１１Ｅを含む表示制御回路１１が内蔵されている。大形警報表示用表示制御回路１１には、図１に示すように、信号出力部１１Ｆ及び電源１１Ｇが接続されている。文字データ記憶部１１Ｄには、警戒地域を特定する文字データ及び緊急事態発生時に何を行えばよいかを表示するガイダンス（メッセージ）についての文字データが格納されている。
【００１６】
大形警報表示器１のＬＥＤ表示大画面部８は、大形警報表示器１の正面中央に配設され、教室などの警戒区域を文字データとして表示する機能を有し、例えば、横２０個×縦１５個の計３００個からなるＬＥＤから構成されている。ＬＥＤ表示大画面部８の大きさは、大形警報表示器１を職員室などの室内の天井近傍に設置しても、その室内にいる人が十分にＬＥＤ表示大画面部８に表示された文字を読み取ることを可能にする大きさとしてある。
【００１７】
大形警報表示器１のフラッシュランプ９は、大形警報表示器１の正面左側に配設された三角柱状のカバー９Ａ内に設けた点滅するＬＥＤからなり、緊急事態の発生時を視覚で知らしめる機能を有しており、大形警報表示器１を職員室などの室内の天井近傍に設置しても、その室内にいる全員が点滅を気づくことができる十分な明るさとしている。大形警報表示器１のサイレン１０は、大形警報表示器１の正面右側に配設されて、緊急事態の発生時を聴覚で知らしめる機能を有しており、大形警報表示器１を職員室などの室内の天井近傍に設置しても、その室内にいる全員が十分に聞き取れる音量が出るように設定されている。
【００１８】
受信機２は、押しボタン式送信機５、ペンダント式送信機６及び腕時計式送信機７からの警報信号や復旧信号を、中継機４を介して受信できるようにしてある。受信機２には、コントローラ３が接続されている。受信機２の外郭正面には、リセットボタン１３と、複数個の表示灯１４及び複数個の銘板１５とからなる警戒区域表示部とが配設されている。受信機２の内部には、内部チェック部１６Ａ、制御部１６Ｂ、無線モジュール１６Ｃ及び信号入出力部１６Ｄを含む受信制御回路１６が内蔵されている。複数個の銘板１５のそれぞれには、複数個の表示灯１４のそれぞれに対応して警戒地域名が明記されている。受信機２の表示灯１４は、押しボタン式送信機５からの警報信号を受信すると点灯するようにしてある。受信機２のリセットボタン１３は、押しボタン式送信機５からの復旧信号の受信によって点滅状態になった表示灯１４を消灯させるものである。
【００１９】
コントローラ３は、ケーブル１２などの有線により、大形警報表示器１に接続されている。コントローラ３の外郭正面には、サイレン停止スイッチ１７と警報リセットスイッチ１８が配設されている。コントローラ３の内部には、受信機２からの警報信号や復旧信号などの各種信号を取り込むための信号入力部１９Ａと、フラッシュランプ９及びサイレン１０の動作などを制御する制御部１９Ｂと、警報信号及び送信機ＩＤ（押しボタン５Ａが押された押しボタン式送信機５を認識するため識別番号）から警戒区域の文字データへ変換する表示データ変換部１９Ｃと、大形警報表示器１への各種信号（制御信号）を出力する信号出力部１９Ｄを含むコントローラ用制御回路１９が内蔵されている。サイレン停止スイッチ１７は、大形警報表示器１への警報信号の出力によって鳴動するサイレン１０を停止させるものである。警報リセットスイッチ１８は、全ての警戒区域が復旧となったとき、大形警報表示器１のＬＥＤ表示大画面部８及びフラッシュランプ９を消灯させるものである。
【００２０】
押しボタン式送信機５は、押しボタン５Ａと、この押しボタン５Ａの操作で警報信号を出力し、かつ、押しボタン５Ａの解除で復旧信号を出力する無線発信機５Ｂから構成されている。押しボタン式送信機５は、警戒区域毎に設置されて、受信機２へ無線にて信号（警報信号及び復旧信号）を送信するようにしてあるが、電波が届かない場合には要所に設置した中継機４を介して受信機２へ信号（警報信号及び復旧信号）を送信するようにしてある。
【００２１】
警戒区域である教室などの名称が変更になり、警戒区域の文字データを変更する必要性が生じてきた場合には、コントローラ３にパーソナルコンピュターを接続して、警戒区域の文字データの書き換えを行うことができるようにしてある。
【００２２】
次に、本発明の一実施形態に係る緊急警報システムの設置例を、図２及び図３に基づき、説明する。
【００２３】
図２に示すように、本発明の一実施形態に係る緊急警報システムを設置した学校２０は、校舎２１と、体育館２２と、プール２３と、運動場２４とを、少なくとも備えている。校舎２１は、複数個の教室２５、職員室２６、これら教室２５及び職員室２６を繋ぐ廊下２７などから、少なくとも構成されている。押しボタン式送信機５は、図２に示すように、各教室２５に少なくとも１個設置されている。面積の広い体育館２２には、複数個の押しボタン式送信機５が設置されている。プール２３や運動場２４については、可搬可能なペンダント式送信機６及び腕時計式送信機７を職員などが身につけて定期的に見回りするようにする。ペンダント式送信機６及び腕時計式送信機７は、無線通信により、中継機４を介して受信機２に接続されるようにしてある。中継機４は、校舎２１内の廊下２７、階段などの空間に、設置されている。
【００２４】
大形警報表示器１と受信機２とコントローラ３は、学校２０の職員室２６や事務室などの職員や事務員などの人が常駐している場所に、着脱可能に設置するようにしてあり、本実施形態では、図３に示すように、職員室２６に設置してある。図３において、符号２８は、職員室２６の出入口ドアを、符号２９は、教頭の机を、符号３０は、教頭席の近傍の壁を、それぞれ示している。
【００２５】
受信機２とコントローラ３は、緊急事態の発生時における対応指示を行う教職員の責任者である教頭席の近傍の壁３０に、着脱可能に設置される。大形警報表示器１は、教職員全員が見やすい場所、例えば、教職員の責任者である教頭席の頭上若しくはその教頭席近傍の壁３０の天井近傍に設置される。
【００２６】
次に、本発明の一実施形態に係る緊急警報システムにおける押しボタン式送信機５、受信機２、コントローラ３及び大形警報表示器１の動作を、図４及び図５に基づき、説明する。
【００２７】
まず、学校２０の校舎２１に不審者が侵入して、複数個の教室２５のうち、１−１教室にて不審者を発見すると、その不審者を発見した発見者が１−１教室に設置されている押しボタン式送信機５の押しボタン５Ａを押す（図４のステップＡ１）。すると、押しボタン５Ａが押された押しボタン式送信機５の無線発信機５Ｂから、警報信号及び押しボタン５Ａが押された押しボタン式送信機５を認識するための送信機ＩＤが、受信機２に向って送信される（図４のステップＡ２）。
【００２８】
受信機２において、押しボタン式送信機５からの警報信号及び送信機ＩＤを受信する（図４のステップＢ１）と、教室名につき、「１−１教室」と表記した銘板１５に隣接した表示灯１４と点灯させる（図４のステップＢ２）。その後、図４のステップＢ３に進み、送信機ＩＤによって、「１−１教室」を認識する信号（以下、『１−１』信号と表記する。）及び警報信号をコントローラ３へ出力させる。ここで、受信機２の表示灯１４が点灯することにより、「１−１教室」にて、緊急事態（不審者の侵入）が発生したことを、受信機２によって確認（認識）することができる。
【００２９】
コントローラ３の信号入力部１９Ａで、警報信号及び『１−１』信号が取り込まれると、コントローラ３の制御部１９Ｂが作動して、表示データ変換部１９Ｃにより、『１−１』信号を、文字データ（１−１教室）に変換した後、その文字データ（１−１教室）が、コントローラ３の信号出力部１９Ｄから大形警報表示器１にケーブル１２を介して出力（送信）される（図５のステップＣ１）とともに、図５のステップＣ２に示すように、フラッシュランプ９の動作信号が大形警報表示器１に、かつ、図５のステップＣ３に示すように、サイレン１０の動作信号が大形警報表示器１に、それぞれ、ケーブル１２を介して、出力（送信）される。
【００３０】
大形警報表示器１では、コントローラ３からの、文字データ（１−１教室）、フラッシュランプ９の動作信号及びサイレン１０の動作信号が、信号入出力部１１Ｅに入力されると、図５のステップＤ１に示すように、ＬＥＤ表示大画面部８に、教室名を表す「１−１」の文字が表示されるとともに、図５のステップＤ２に示すように、フラッシュランプ９が点滅し、かつ、図５のステップＤ３に示すように、サイレン１０を鳴動する。これにより、職員室２６にいる全教職員が、緊急事態（不審者の侵入）が発生したことを知ることができ、しかも、大形警報表示器１のＬＥＤ表示大画面部８を見ることで、緊急事態（不審者の侵入）が発生した場所、すなわち、警戒区域を、職員室２６にいる全教職員が難なく、確認することができる。
【００３１】
その後、例えば、教頭などの責任者は、ＬＥＤ表示大画面部８を見ることで、
警戒区域が、１−１教室であることを確認した後、コントローラ３のサイレン停止スイッチ１７を押す（図５のステップＣ４）と、コントローラ３の制御部１９Ｂが作動して信号出力部１９からサイレン停止信号が、大形警報表示器１にケーブル１２を介して出力（送信）される（図５のステップＣ５）。
【００３２】
大形警報表示器１では、コントローラ３からの、サイレン停止信号が、信号入出力部１１Ｅに入力されると、図５のステップＤ４に示すように、サイレン１０の鳴動を停止させる。その後、コントローラ３は、サイレン停止信号を出力させると、制御部１９Ｂが作動して信号出力部１９Ｄから、「さすまた持参、現場へ急行。」の表示データ信号を、大形警報表示器１にケーブル１２を介して出力（送信）する（図５のステップＣ６）。
【００３３】
大形警報表示器１では、「さすまた持参、現場へ急行。」の表示データ信号が、信号入出力部１１Ｅに入力されると、図５のステップＤ５に示すように、ＬＥＤ表示大画面部８に、緊急事態発生時に何を行えばよいかの内容を示すところのガイダンス表示として、例えば、「さすまた持参、現場へ急行。」の文字が表示される。これにより、教頭などの責任者は、ＬＥＤ表示大画面部８のガイダンス表示を見ることで、職員に対して、迅速に、かつ、的確な指示を行うことができるとともに、職員は、ＬＥＤ表示大画面部８のガイダンス表示を見ることによって、より一層、迅速で、かつ、的確な行動をとることができる。
【００３４】
そして、複数個の教室２５のうち、１−１教室から２−１教室に移動した不審者を、２−１教室にて発見すると、その不審者を発見した発見者が、２−１教室に設置されている押しボタン式送信機５の押しボタン５Ａを押す（図４のステップＡ３）。すると、押しボタン５Ａが押された押しボタン式送信機５の無線発信機５Ｂから、警報信号及び押しボタン５Ａが押された押しボタン式送信機５を認識するための送信機ＩＤが、受信機２に向って送信される（図４のステップＡ４）。
【００３５】
受信機２において、押しボタン式送信機５からの警報信号及び送信機ＩＤを受信する（図４のステップＢ１）すると、教室名につき、「２−１教室」と表記した銘板１５に隣接した表示灯１４を点灯させる（図４のステップＢ５）。その後、図４のステップＢ６に進み、送信機ＩＤによって、「２−１教室」を認識する信号（以下、『２−１』信号と表記する。）及び警報信号をコントローラ３へ出力させる。
【００３６】
コントローラ３の信号入力部１９Ａで、警報信号及び『２−１』信号が取り込まれると、コントローラ３の制御部１９Ｂが作動して、表示データ変換部１９Ｃにより、『２−１』信号を、文字データ（２−１教室）に変換した後、その文字データ（２−１教室）が、コントローラ３の信号出力部１９Ｄから大形警報表示器１にケーブル１２を介して出力（送信）される（図５のステップＣ７）とともに、図５のステップＣ８に示すように、サイレン１０の動作信号が大形警報表示器１に、それぞれ、ケーブル１２を介して、出力（送信）される。
【００３７】
大形警報表示器１では、コントローラ３からの、文字データ（２−１教室）及びサイレン１０の動作信号が、信号入出力部１１Ｅに入力されると、図５のステップＤ６に示すように、ＬＥＤ表示大画面部８に、教室名を表す「２−１」の文字が表示されるとともに、図５のステップＤ７に示すように、サイレン１０を再鳴動させる。これにより、職員室２６にいる全教職員が、２−１教室に不審者がいることを、大形警報表示器１のＬＥＤ表示大画面部８を見ることで、知ることができるとともに、不審者が次に移動する場所を推測できるため、職員が不審者を待ち伏せして捕獲することが可能となる。
【００３８】
その後、例えば、教頭などの責任者は、ＬＥＤ表示大画面部８を見ることで、
警戒区域が、２−１教室であることを確認した後、コントローラ３のサイレン停止スイッチ１７を押す（図５のステップＣ９）と、コントローラ３の制御部１９Ｂが作動して信号出力部１９からサイレン停止信号が、大形警報表示器１にケーブル１２を介して出力（送信）される（図５のステップＣ１０）。
【００３９】
大形警報表示器１では、コントローラ３からの、サイレン停止信号が、信号入出力部１１Ｅに入力されると、図５のステップＤ８に示すように、サイレン１０の鳴動を停止させる。その後、コントローラ３は、サイレン停止信号を出力させると、制御部１９Ｂが作動して信号出力部１９Ｄから、「１１０番せよ！」の表示データ信号を、大形警報表示器１にケーブル１２を介して出力（送信）する（図５のステップＣ１１）。
【００４０】
大形警報表示器１では、「１１０番せよ！」の表示データ信号が、信号入出力部１１Ｅに入力されると、図５のステップＤ９に示すように、ＬＥＤ表示大画面部８に、緊急事態発生時に何を行えばよいかの内容を示すところのガイダンス表示として、例えば、「１１０番せよ！」の文字が表示される。これにより、教頭などの責任者は、ＬＥＤ表示大画面部８のガイダンス表示を見ることで、職員に対して、迅速に、かつ、的確な指示を行うことができる。すなわち、１１０番への通報が、迅速に行われる。
【００４１】
その後、不審者を教職員が取り押さえたとしても、不審者が侵入した警戒区域に危険物などを放置している場合があるので、警戒区域の安全を確認するまでは、大形警報表示器１のＬＥＤ表示大画面部８の、警戒区域の表示と、大形警報表示器１のフラッシュランプ９が点滅は、続ける。
【００４２】
そして、警戒区域であるところの１−１教室及び２−１教室の安全を確認したならば、その安全を確認した教職員が１−１教室及び２−１教室に設置されている各押しボタン式送信機５の押しボタン５Ａを引き戻す（図４のステップＡ５）と、押しボタン５Ａが引き戻された押しボタン式送信機５の無線発信機５Ｂから、復旧信号及び送信機ＩＤ（押しボタン５Ａが引き戻された押しボタン式送信機５を認識できる識別番号）が、受信機２に向って送信される（図４のステップＡ６）。
【００４３】
受信機２において、押しボタン式送信機５からの復旧信号及び送信機ＩＤを受信する（図４のステップＢ７）すると、制御部１６Ｂが作動して、複数個の表示灯１４のうち、複数個の銘板１５のうちの「１−１教室」と表記した銘板に隣接した表示灯と、「２−１教室」と表記した銘板に隣接した表示灯を点滅させる（図４のステップＢ８）とともに、『１−１』信号及び『２−１』信号の、コントローラ３への出力が図４のステップＢ９に示すように、消去される（オフする）。
【００４４】
その後、受信機２のリセットボタン１３を押す（図４のステップＢ１０）ことで、複数個の表示灯１４のうち、複数個の銘板１５のうちの「１−１教室」と表記した銘板に隣接した表示灯と、「２−１教室」と表記した銘板に隣接した表示灯との点滅を停止（消灯）させる（図４のステップＢ１１）。
【００４５】
『１−１』信号及び『２−１』信号の、コントローラ３への出力が図４のステップＢ９に示すように、消去した（オフした）後、コントローラ３の警報リセットスイッチ１８を押す（図５のステップＣ１２）と、コントローラ３の制御部１９Ｂが作動して、コントローラ３の信号出力部１９Ｄから大形警報表示器１にケーブル１２を介して表示リセット信号が出力（送信）される（図５のステップＣ１３）とともに、コントローラ３の信号出力部１９Ｄから大形警報表示器１にケーブル１２を介してフラッシュランプ９の消灯指令信号が、図５のステップＣ１４に示すように、出力（送信）され、かつ、コントローラ３の信号出力部１９Ｄから大形警報表示器１にケーブル１２を介してサイレン１０の鳴動停止信号が、図５のステップＣ１５に示すように、出力（送信）される。
【００４６】
大形警報表示器１では、コントローラ３からの、表示リセット信号、消灯指令信号及び鳴動停止信号が、信号入出力部１１Ｅに入力されると、図５のステップＤ１０（表示リセット）に示すように、ＬＥＤ表示大画面部８の表示がリセットされるとともに、図５のステップＤ１１（ランプ停止）に示すように、フラッシュランプ９が消灯し、かつ、図５のステップＤ１２（サイレン停止）に示すように、サイレン１０の鳴動を停止した状態が維持される。これにより、元の状態に戻る。
【００４７】
図４のステップＡ５において、教職員が１−１教室のみの安全を確認して、１−１教室に設置されている押しボタン式送信機５の押しボタン５Ａを引き戻したが、２−１教室に設置されている押しボタン式送信機５の押しボタン５Ａを引き戻さなかった場合には、コントローラ３の警報リセットスイッチ１８を押しても、大形警報表示器１のＬＥＤ表示大画面部８の表示及びフラッシュランプ９の点滅が継続して行われる。
【００４８】
次に、本発明の一実施形態に係る緊急警報システムにおける受信機２や大形警報表示器１の故障検出（異常検出）動作を、図１、図４及び図５に基づき、説明する。
【００４９】
受信機２の故障検出（異常検出）は、コントローラ３の制御部１９Ｂにより、コントローラ３の信号出力部１９Ｄ及び受信機２の信号入出力部１６Ｄを介して、受信機２の内部チェック部１６Ａを定期的に動作させることで、受信機２の動作チェックが行われる。そして、この動作チェックにより、故障（異常）が検出されると、コントローラ３の信号出力部１９Ｄより、エラー表示信号が、大形警報表示器１にケーブル１２を介して出力（送信）されて、ＬＥＤ表示大画面部８に、例えば、「受信機が故障」との文字が表示されるとともに、フラッシュランプ９を点滅させる。これにより、受信機２の故障を、大形警報表示器１を見ることによって、迅速に知ることができる。
【００５０】
大形警報表示器１の故障検出（異常検出）は、コントローラ３の制御部１９Ｂにより、コントローラ３の信号出力部１９Ｄ及び大形警報表示器１の信号入出力部１１Ｅを介して、大形警報表示器１の内部チェック部１１Ｂを定期的に動作させることで、大形警報表示器１の動作チェックが行われる。そして、この動作チェックにより、故障（異常）が検出されると、コントローラ３の信号出力部１９Ｄより、エラー表示信号が、大形警報表示器１にケーブル１２を介して出力（送信）されて、ＬＥＤ表示大画面部８に、例えば、「大形警報表示器が故障」との文字が表示されるとともに、フラッシュランプ９を点滅させる。これにより、大形警報表示器１の故障を、大形警報表示器１のＬＥＤ表示大画面部８を見ることによって、迅速に知ることができる。
【００５１】
なお、コントローラ３から大形警報表示器１への表示出力は、図６に示すように、コントローラ３の制御部１９Ｂにおいて、ｂｉｔ０〜ｂｉｔ７までの信号のオンオフにより、切り換えるようにしている。つまり、０ｘ００〜０ｘＦＦの２５６通りの表示出力が可能であり、警報のない平常時には、コントローラ３からｂｉｔ０の信号を、大形警報表示器１に０ｘ００の信号で、出力している。そして、故障（異常）が発生した時には、ｂｉｔ０〜ｂｉｔ７までの全ての信号をオフに切り換えて、大形警報表示器１に０ｘ００の信号が出力させると、大形警報表示器１のＬＥＤ表示大画面部８に、例えば、「コントローラが故障」との文字が表示させるようにしてある。
【００５２】
上記実施形態の緊急警報システムによれば、大形警報表示器１のＬＥＤ表示大画面部８に不審者が侵入した警戒区域を表示するようにしたので、その警戒区域の確認と対応を迅速に行わせることができる。しかも、上記実施形態の緊急警報システムによれば、大形警報表示器１のＬＥＤ表示大画面部８に、緊急事態発生時に何を行えばよいかを表示するガイダンス表示がなされるので、緊急事態発生時の対応を的確に行わせることができる。
【００５３】
さらに、上記実施形態の緊急警報システムによれば、受信機２や大形警報表示器１の動作チェックが定期的に行われて、受信機２や大形警報表示器１に故障があれば、その故障内容の表示が、大形警報表示器１のＬＥＤ表示大画面部８になされるので、その故障内容の表示を見て、通常時に受信機２や大形警報表示器１に故障を直しておくことができるので、緊急事態の発生時に受信機２や大形警報表示器１が使用できないということを阻止することができ、便利である。
【００５４】
さらに、上記実施形態の緊急警報システムによれば、大形警報表示器１のＬＥＤ表示大画面部８に緊急事態発生時に何を行えばよいかを表示するガイダンス表示がなされるので、そのＬＥＤ表示大画面部８の表示内容を確認することにより、緊急事態発生時における指示及び対応を、迅速に、かつ、的確に行わせることができる。
【００５５】
さらに、上記実施形態の緊急警報システムによれば、大形警報表示器１の正面から前方に突出させた三角柱状のカバー９Ａにフラッシュランプ９を設けるようにしたので、大形警報表示器１の真横から見てもフラッシュランプ９の点滅、すなわち、緊急事態（不審者の侵入）の発生を、大形警報表示器１の真横から見ても、難なく確認することができる。
【図面の簡単な説明】
【００５６】
【図１】本発明の一実施形態に係る緊急警報システムの全体構成図である。
【図２】本発明の一実施形態に係る緊急警報システムの学校内への配置内容を示す配置説明図である。
【図３】本発明の一実施形態に係る緊急警報システムの職員室への配置内容を示す配置説明図である。
【図４】本発明の一実施形態に係る緊急警報システムにおける押しボタン式送信機及び受信機の動作内容を示す流れ図である。
【図５】本発明の一実施形態に係る緊急警報システムにおけるコントローラ及び大形警報表示器の動作内容を示す流れ図である。
【図６】本発明の一実施形態に係る緊急警報システムのコントローラから大形警報表示器への表示出力方法を説明する説明図である。
【符号の説明】
【００５７】
１    大形警報表示器
２    受信機
３    コントローラ
４    中継機
５    押しボタン式送信機
５Ａ  押しボタン
５Ｂ  無線発信機
６    ペンダント式送信機
７    腕時計式送信機
８    ＬＥＤ表示大画面部
９    フラッシュランプ
１０  サイレン
１１  表示制御回路
１１Ａ  ＬＥＤモジュール
１１Ｂ  内部チェック部
１１Ｃ  制御部
１１Ｄ  文字データ記憶部
１１Ｅ  信号入出力部
１１Ｆ  信号出力部
１１Ｇ  電源
１２  ケーブル
１３  リセットボタン
１４  表示灯
１５  銘板
１６  受信制御回路
１６Ａ  内部チェック部
１６Ｂ  制御部
１６Ｃ  無線モジュール
１６Ｄ  信号入出力部
１７  サイレン停止スイッチ
１８  警報リセットスイッチ
１９  コントローラ用制御回路
１９Ａ  信号入力部
１９Ｂ  制御部
１９Ｃ  表示データ変換部
１９Ｄ  信号出力部
２０  学校
２１  校舎
２２  体育館
２３  プール
２４  運動場
２５  教室
２６  職員室
２７  廊下
２８  出入口ドア
２９  教頭の机
３０  教頭席の近傍の壁
【図１】
2008021100.tif 000003
【図２】
2008021100.tif 000004
【図３】
2008021100.tif 000005
【図４】
2008021100.tif 000006
【図５】
2008021100.tif 000007
【図６】
2008021100.tif 000008